(57)【特許請求の範囲】
【請求項１】
キャップ本体の頂壁から立設された注出筒と、前記注出筒よりも内方の前記頂壁に形成され、切り裂きにより開口する流通口とを備えた容器に装着される注出キャップにおいて、
前記注出筒の先端には複数の注出部を備え、前記複数の注出部は注出筒の外方へ向かって突出したくちばし状に形成され、前記容器に収納された内容液を複数の注出部から同時に注出可能に設けられ、
前記流通口は、略Ｕ字状、または一対の細幅流通口からなると共にその前記注出部側末端に流通部を備え、
前記流通部は、前記注出部の基端部と対向する位置に設けられており、
前記注出部は、間隔部を介して形成され、
前記間隔部には、リブからなる液流ガイド機構を備えており、
前記ガイド機構は、前記流通口から流出した内容液を分割するためものであることを特徴とする注出キャップ。
【請求項２】
前記流通部が前記注出筒の基端部に近接して設けられていることを特徴とする請求項１記載の注出キャップ。
【請求項３】
前記請求項１又は２に記載された注出キャップが装着された容器であって、前記容器は複数の内容液を個々に収納可能な複液収納容器であることを特徴とする容器。
【発明の詳細な説明】
【技術分野】
【０００１】
本発明は注出筒を備えた注出キャップに関し、注出筒にくちばし状の注出部を備えたキャップに関する。
【背景技術】
【０００２】
以前より、注出筒を備えた注出キャップにおいて、内容液の液注ぎ性を向上させたキャップについて検討がなされている。従来、注出筒が周状部よりも径外方に突出しているくちばし形状部分を設けることにより液切れ性等を改良したキャップがある（特許文献１参照）。
【先行技術文献】
【特許文献】
【０００３】
【特許文献１】特開２００３−４０２９９号公報
【発明の概要】
【発明が解決しようとする課題】
【０００４】
前記従来技術においては、内容液の注出の際は前記くちばし形状部分を通って内容液の流出が生じるので、液切れ性に優れた注出キャップを提供できるものであるが、くちばし形状部分は注出筒の限られた範囲において形成されており、使用者が注出を行う際、その使用の仕方によっては、くちばし形状部分から注出液の流出が行われず、くちばし形状部分に収容しきれなかった内容液が前記周状部から注ぎ出される事があり、所望の液切れ性が得られないことがあった。
【０００５】
そのため、注出時にくちばし形状部分に内容液が集中するよう、使用者によって容器の傾きを調整する煩雑さが生じる。本発明はこのような問題が生じず、液切れ性に優れた注出キャップを提供することが課題とする。
【課題を解決するための手段】
【０００６】
本発明は、キャップ本体の頂壁から立設された注出筒と、前記注出筒よりも内方の前記頂壁に形成され、切り裂きにより開口する流通口とを備えた容器に装着される注出キャップにおいて、前記注出筒の先端には複数の注出部を備え、前記複数の注出部は注出筒の外方へ向かって突出したくちばし状に形成され、前記容器に収納された内容液を複数の注出部から同時に注出可能に設けられ、前記流通口は、略Ｕ字状、または一対の細幅流通口からなると共にその前記注出部側末端に流通部を備え、前記流通部は、前記注出部の基端部と対向する位置に設けられており、前記注出部は、間隔部を介して形成され、前記間隔部には、リブからなる液流ガイド機構を備えており、前記ガイド機構は、前記流通口から流出した内容液を分割するためものであることを特徴とする注出キャップである。
【０００９】
又、本発明は、前記流通部が前記注出筒の基端部に近接して設けられていることを特徴とする注出キャップである。
【００１２】
又、本発明は、注出キャップが装着された容器であって、前記容器は複数の内容液を個々に収納可能な複液収納容器であることを特徴とする容器である。
【発明の効果】
【００１３】
本発明では、内容物を同時注出可能に、くちばし状に形成された複数の注出部を注出筒の先端に設けたことにより、注出筒先端において、広い範囲に亘って注出領域とすることができ、前記複数の注出部から内容液を一斉に注出することができる。このため、注出時に使用者によって容器の傾き加減を調整する必要がなく、内容液を注出部から注出させることができ、優れた液切れ性を備えたキャップを提供することができる。
【００１４】
又、流通口は例えば、略Ｕ字状、または一対の細幅流通口からなり、容器を傾けた際に主に内容物が流通する部分である流通部を、少なくとも２つ設けたことにより、前記注出部に流入する液量を調整することができる。このような流通部を備えた流通口を、注出部を設けた注出筒の基端部と近接させることにより、流通部から流出した液が、注出部まで直ちに到達し、注出を容易に行うことができる。
【００１５】
又、複数の注出部は周方向に間隔をおいて形成され、その間隔に液流ガイド機構、例えば、注出筒の内面に延在するリブを設けることで、前記間隔から内容液が流出することを防止でき、且つ、注出部へ液流をガイドすることができるため、注出を更に容易に行うことができる。
【００１６】
又、上記注出キャップが装着された容器を２種類の液体を収納可能な容器とすることにより保存時には２種類の液体を個々に収納することにより混和させず、使用時に混合させる構成とすることができる。
【図面の簡単な説明】
【００１７】
【図１】本発明の第１の実施の形態を示すキャップ本体の立体図である。
【図２】図１の平面図である。図２（ａ）は流通口がＵ字状の例を示し、図２（ｂ）は流通口が細幅の例である。
【図３】図２のIII−III線による使用時における断面図である。
【図４】本発明の第２の実施の形態を示すキャップ本体の平面図である。
【図５】本発明の第３の実施の形態を示すキャップ本体の平面図である。
【図６】図５のＶＩ―ＶＩ線による断面図である。
【図７】本発明の第４の実施の形態を示すキャップ本体の平面図である。
【発明を実施するための形態】
【００１８】
本発明の第１の実施の形態について図１乃至３により説明する。注出キャップ１はキャップ本体２と、キャップ本体２に被着される図示されない外蓋とを備えている。本実施の形態においては、キャップ本体２及び外蓋はヒンジ３により連結されている。
【００１９】
キャップ本体２は注出筒４と、注出筒４に頂壁５を介して連結される筒部６とを備えている。頂壁５には、注出筒４と同心状の係止筒７が設けられており、この係止筒７は、注出筒４よりも大径に形成される。
【００２０】
注出筒４は、その先端には注出筒４の外側に向ってくちばし状に形成された２つの注出部８が設けられる。注出部８は、仮想線ＩＡに対してヒンジ３と反対側の領域に、且つ、注出キャップ１が装着された容器に収納される内容物を同時注出可能な間隔に設けられる。望ましくは、注出部８は、注出筒４を中心Ｏを中心とする注出部８の外端部８ａの互いの離角θＡが１８０°以下、又、注出部８の先端部８ｂの互いの離角θＢ が９０°以下となるような間隔であって、本実施の形態では離角θＡ＝約９０°、 離角θＢ＝約３５°である。この時、離角θＢは離角θＡの１／２以下に設けられることが好ましい。このように設けられることで、所望される設計値通りの注出部を得ることができ、且つ、内容液を広い範囲でカバーすることができる。又、上記を超える範囲に設けた場合は、２つの注出部から同時に注出を行うことが困難になることがある。又、注出筒４に設けられた２つの注出部８は間隔部９を介し、間隔をおいて、形成される。間隔部９は、平面視円弧状に形成されるが、その長さは必要に応じて適宜選択される。注出筒４の先端は、外蓋で注出筒４をシールする時にそのシール性を向上させるため、注出筒４は注出部４側の領域よりもヒンジ３側の領域の方が低くなるように平面視略階段状に形成される。この階段状部４ａは注出筒４を正中する仮想線ＩＡよりもヒンジ３側の領域に設けられる。尚、間隔部９の大きさは、必要とする注出部８の大きさに応じて適宜変化させることができる。
【００２１】
注出筒４より内方の頂壁５には、切り裂きにより開口する流通口が形成される。流通口は当該内方の頂壁５の全体に円状に形成することもできるが、本実施の形態では、略Ｕ字状の流通口１０Ａ又は互いに対向する一対の細幅流通口１０Ｂが設けられる。最初、流通口１０Ａ又は１０Ｂは液体の流通を遮断するために遮断壁１１により塞がれている。遮断壁１１には、無端状の裂溝が設けられる。遮断壁１１を使用時に取り除く方法については適宜選択することができる。例えば、プルリング等を設けてもよい。尚、本発明において流通部１０ａ又は１０ｂとは流通口１０Ａ又は１０Ｂ各々の注出部８側の末端部を示す。
【００２２】
使用者が容器から内容液を注出させる場合には、注出キャップ１のプルリングを引き、裂溝で切り裂き、流通口１０Ａ，１０Ｂを開口させた後、該容器を傾けると、先ず始めに、流通口１０Ａ又は１０Ｂによってその液量が調整されながらくちばし状の注出部８に向って流下する。そして前記内容液は注出筒４の先端の注出領域に広く設けられたくちばし状に形成された注出部８，８に分けられて各注出部８から容器外部に注出される。所望の量を注出させた後に、前記容器の傾きを元に戻すと、注出部８がくちばし状に形成されているため液切れ性がよい。この際、流通口１０Ａ又は１０Ｂの効果により、注出部８に到達する液量を調整することができるため、注出部８の収容力を超える内容液が注出部８以外の場所から注出されることなく、又、注出部８は注出領域に広くに亘って設けられているため内容液が注出部８に集中するように容器の傾きを調整する必要もない。
【００２３】
本発明の第２の実施の形態について図４により説明する。図１乃至３と同一の符号はその名称も機能も同一である。又、第１の実施の形態との相違点は流通口の流通部を注出筒４の基端部に近接させたことである。本実施の形態では一対の細幅流通口１０Ｂが設けられ、両流通口１０Ｂ，１０Ｂは間隔をおいて互いに対向している。又、流通口１０Ｂの流通部１０ｂは注出筒４の基端部に連続する頂壁５ａに設けられ、流通部１０ｂと注出筒４の基端部との距離は、頂壁５ａを介して製品設計上可能な範囲で接近していることが望ましい。本実施の形態おける前記距離は、１．０ｍｍ以下、好ましくは０．５ｍｍ以下に設けられる。前記距離が１．０ｍｍよりも大きいと内容液が頂壁５ａに溜まり易くなり、速やかに注出が行われず好ましくない。
【００２４】
本実施の形態の注出キャップ１が装着された容器を使用者が使用する際、容器を傾けることにより、流通部１０ｂから流出した内容液は注出部８の基端部と流通部１０ｂとが近接しているため、注出部８に直達する。このため、流通口１０Ｂによりその液量が調整された内用液を注出部８から、容易に注出することができる。
【００２５】
本発明の第３の実施の形態について図５及び６により説明する。図１乃至４と同一の符号はその名称も機能も同一である。又、第１の実施の形態との相違点は注出筒４の間隔部９に液流ガイド機構を設けたことである。間隔部９には液流ガイド機構、例えば、リブ１２が設けられる。リブ１２は注出筒の中心Ｏに向って延在する平面視略台形状の板体であり、間隔部９の先端部９ａから注出筒４の内方の頂壁５に向って斜設され、その先端部９ａ側が幅広に形成されている。本実施の形態では細幅流通口１０Ｂが２箇所に設けられ、各流通口１０Ｂ，１０Ｂから流出する内容液をリブ１２が隔て、内容液を注出部８へガイドすることができる様に、リブ１２は、一対の細幅流通口１０Ｂ，１０Ｂの流通部１０ｂ，１０ｂとを結ぶ直線の略真上となる様に設けられる。尚、リブ１２の形状、大きさ等は注出キャップ１の使用時の状況等により適宜選択できる。
【００２６】
本実施の形態の注出キャップ１が装着された容器を使用者が使用する際には、流通部１０ｂにより液量を調節された内容液はリブ１２により一方の注出部８から注出すべき内容液と他方の注出部８から注出すべき内容液とに分割される。このため、各流通部１０ｂ，１０ｂから流出する内容液は流量を規制されながら各注出部８，８から注出される。そのため内容液が各注出部８，８に至るまでに混ざり合うことがないため、内容液は規制された流量のまま注出部８，８から注出されることとなり、注出部８以外の場所から注出されることがない。
【００２７】
本発明の第４の実施の形態について図７により説明する。図１乃至６と同一の符号はその名称も機能も同一である。本実施の形態は、第３の実施の形態と類似しているが、各注出部８Ａ，８Ａが内向きに形成されている点で相違する。注出部８Ａ，８Ａは、注出部８，８とは異なり、その中心線が互いに交差する様に形成される。即ち、注出部８が内向きに形成されることにより、注出筒４の先端から外方へ突出する注出部８の半径方向の突出量を抑えることができるので、従来キャップより、注出部８を長く形成することができる。
【００２８】
本実施の形態において、注出キャップ１は、その内部を縦隔壁に仕切られている複液収納容器（図示省略）に装着される。この容器は、２種類の内容液が混和することなく個々に収容可能な容器である。前記縦隔壁は、通常、注出キャップ１が装着された時に、図７の仮想線ＩＢ（仮想線ＩＢは注出キャップ１の図７の横方向における中心線である）の真下に来る様に設けられ、当該容器内を２つの部屋に分割するが、その一方の部屋は一方の流通口の１０Ｂに連通し、他方の部屋は他方の流通口１０Ｂに連通する。尚、縦隔壁の位置を変更することにより前記２つの部屋の大きさ（体積）を変更することができるが、その位置は、２箇所に設けられた流通口１０Ｂの２つの流通部１０ｂの間、図７におけるＬの範囲、であればよい。又、当然、縦隔壁のない容器に本実施の形態の注出キャップ１を装着することもできる。
【００２９】
このような容器は、例えば、別々に保存されるべき、２種類の内容液を混和することにより使用される医薬品用の容器やドレッシング等の２液分離タイプの調味料用の容器等に使用することができる。
【００３０】
尚、本発明を第１乃至４の実施の形態に分けて説明をしたが、本発明はこれら実施の形態に限定されるものでない。例えば、注出部８の数、形状等は使用の形態に応じて適宜変えることができ、第２乃至第４の実施の形態において、細幅流通口１０Ｂの代わりに第１の実施例で示した様なＵ字状の流通口１０Ａを設けることもできる。又、第２の実施の形態に第３の実施の形態の液流ガイド機構を設ける等、第１乃至４の実施の形態を適宜組み合わせることもできる。又、本発明はヒンジキャップだけでなくスクリューキャップ等にも適用することも可能である。
【符号の説明】
【００３１】
１  注出キャップ                ２  キャップ本体
３  ヒンジ                      ４  注出筒
４ａ  階段状部                  ５  頂壁
６    筒部                      ７  係止筒
８，８Ａ  注出部                ８ａ  外端部
８ｂ  先端部                    ９  間隔部
９ａ  先端部                    １０Ａ，１０Ｂ  流通口
１０ａ，１０ｂ  流通部          １１  遮断壁
１２  リブ
【図２】
0005470119.tif 000002
【図３】
0005470119.tif 000003
【図４】
0005470119.tif 000004
【図５】
0005470119.tif 000005
【図６】
0005470119.tif 000006
【図７】
0005470119.tif 000007
【図１】
0005470119.tif 000008